(57)【要約】      （修正有）【課題】簡単な構造で、連結作業性にも優れており、かつ、送水時に送水用ホースやパイプの先端部が抜けて外れることのない連結具を提供すること。【解決手段】外面側または内面側のいずれかに送水用ホース１やパイプの先端部を装着させる連結部１１と、該連結部１１と反対側の面において互いに密着させてネジ締結またはボルト締結または貫通固定させる連結穴１７を有するフランジ部１６とを具備しており、前記連結部１１にネジ締結またはボルト締結するためのネジ溝（または穴）１１ｃ，１１ｄが形成されており、前記連結部１１が外筒１１ａと内筒１１ｂによって二重の筒体構造に形成されており，外筒１１ａと内筒１１ｂ間の隙間１４にホース１やパイプの先端部を挿嵌させてネジ締結またはボルト締結されている。【選択図】  図２
2005273853.tif 000002
【特許請求の範囲】
【請求項１】
送水用ホースや送水用パイプを連結するために使用される連結具において、
該連結具の外面側または内面側のいずれかに、前記送水用ホースや送水用パイプの先端部を装着させる連結部と、該連結部と反対側の面において互いに密着させてネジ締結またはボルト締結させる連結穴を有するフランジ部とを具備しており、
前記連結部に、前記送水用ホースや送水用パイプの先端部をネジ締結またはボルト締結によって貫通させ、両部材を固定するためのネジ溝または穴が形成されていることを特徴とする連結具。
【請求項２】
前記連結部の内面側または外面側に、前記送水用ホースや送水用パイプの先端部を挟むように、部分胴巻き部材または部分押さえ部材のいずれかを装着するとともに、ネジ締結またはボルト締結により、前記先端部を貫通して前記連結部に固定することを特徴とする請求項１に記載の連結具。
【請求項３】
前記連結部は外筒と内筒によって二重の筒体構造に形成されており、
該外筒と内筒間の隙間に前記送水用ホースや送水用パイプの先端部を挿入させ、前記連結部の外筒側から内筒側に向けまたは内筒側から外筒側に向けてネジ締結またはボルト締結することにより、前記先端部を圧迫して締結してまたは前記先端部を貫通して前記連結部に固定することを特徴とする、請求項１に記載の連結具。
【請求項４】
請求項１〜３に記載のいずれか１種類または２種類の連結具の間に、蛇腹形状のホースまたはパイプが取着されてなることを特徴とする連結具。
【請求項５】
前記連結具において、
前記送水用ホースまたは送水用パイプが、空調用ホースまたは空調用パイプとして使用されることを特徴とする請求項１〜４のいずれかに記載の連結具。
【請求項６】
請求項１〜５のいずれに記載の連結具を装着したホースまたはパイプを使用することを特徴とする連結工法。
【発明の詳細な説明】
【技術分野】
【０００１】
本発明は送水用ホースや送水用パイプ（または空調用ホースや空調用パイプ）を連結するために使用される連結具と、連結工法に関するものである。
【背景技術】
【０００２】
従来のかかる連結具としては、専ら、先端に向かうにつれて縮径し、外面側に滑り止め凹凸部を複数備えた連結部と、この連結部と反対側の面において互いに密着させネジ固定またはボルト固定させる連結穴を設けたフランジ部とを具備しており、前記連結部に、送水用ホースやパイプの先端部を外装し、先端部の外側に巻いた締付けバンドまたはなまし鉄線にて締め付け固定するものが汎用されている。
【発明の開示】
【発明が解決しようとする課題】
【０００３】
しかしながら、上記従来の連結具にあっては、送水中にしばしば、連結部から送水用ホースやパイプの先端部が抜けて外れ、送水中の水が周りに飛び散ることがあった。そのため、その都度送水作業を中断して送水用ホースやパイプを装着し直すことなどが必要であり、甚だ厄介な問題であった。
【０００４】
本発明は上記の事情に鑑みてなされたものであり、その目的は、簡単な構造で、連結作業性にも優れており、かつ、送水時に送水用ホースやパイプの先端部が抜けて外れることのない連結具を提供するにある。
【課題を解決するための手段】
【０００５】
上記課題を解決するために本発明が採用した手段は、請求項１の発明は、送水用ホースや送水用パイプを連結するために使用される連結具において、
該連結具の外面側または内面側のいずれかに、前記送水用ホースやパイプの先端部を装着させる連結部と、該連結部と反対側の面において互いに密着させてネジ締結またはボルト締結させる連結穴を有するフランジ部とを具備しており、
前記連結部に、前記送水用ホースや送水用パイプの先端部をパッキン部材を介在させまたは介在させないで、ネジ締結またはボルト締結によって貫通させ、両部材を固定するためのネジ溝または穴が形成されているところに特徴を有する連結具を、要旨とする。
【０００６】
請求項２の発明は、請求項１に記載の連結具において、前記連結部の内面側または外面側に、前記送水用ホースや送水用パイプの先端部を挟むように、部分胴巻き部材または部分押さえ部材のいずれかを装着するとともに、ネジ締結またはボルト締結により、前記先端部を貫通して前記連結部に固定するところに特徴がある。
ことを特徴とする、請求項１に記載の連結具。
【０００７】
請求項３の発明は、請求項１に記載の連結具において、前記連結部は外筒と内筒によって二重の筒体構造に形成されており、
該外筒と内筒間の隙間に前記送水用ホースや送水用パイプの先端部を挿入させ、前記連結部の外筒側から内筒側に向けまたは内筒側から外筒側に向けてネジ締結またはボルト締結することにより、前記先端部を圧迫して締結してまたは前記先端部を貫通して前記連結部に固定するところに特徴がある。
【０００８】
請求項４の発明は、請求項１〜３に記載のいずれか１種類または２種類の連結具の間に、蛇腹形状のホースまたはパイプが取着されてなるところに特徴男有する連結具を、その要旨とする。
【０００９】
請求項５の発明は、請求項１〜４のいずれかに記載の連結具において、
前記送水用ホースまたは送水用パイプが、空調用ホースまたは空調用パイプとして使用されるところに特徴がある。
【００１０】
つぎに、請求項６の発明は、請求項１〜５のいずれに記載の連結具を装着したホースまたはパイプを使用するところに特徴を有すると連結工法を、その要旨とする。
【発明の効果】
【００１１】
本発明に連結具によると、構造が簡単で容易に製造でき、送水時に連結具から送水用ホースやパイプの先端部が抜けて外れて送水作業を中断したりまた周りに水が飛び散ることがない。すなわち、連結作業が簡単かつ確実に実施でき、連結後は極めて安定に送水できるので、送水作業（特に送水状態を監視する作業など）に必要な人手が削減でき、特には、クレーンなどで吊り上げてホースやパイプを移動させる際に、連結具からホースやパイプが抜け外れることを防止できるので、作業を安心して実施できる。
【００１２】
なお、前記送水用ホースまたは送水用パイプを、空調用ホースまたは空調用パイプとして使用しても、叙上の作用効果が得られる。
【発明を実施するための最良の形態】
【００１３】
以下、本発明の実施の形態を実施例に基づいて詳細に説明する。ただし、これはその代表的なものとして例示したに過ぎず、前記送水用ホースまたは送水用パイプを、空調用ホースまたは空調用パイプとして使用するなど、その要旨を越えない限り以下の実施例により本発明が限定されるものではない。
【００１４】
図１は、実施例１の連結具１０の主要部を概略的に示す要部分解斜視図、図２は同連結具１０に柔軟な送水用パイプ１を連結させつつある状態を模式的に示す要部分解斜視図、図３は同連結具１０に柔軟な送水用パイプ１をボルトを貫通して固定し、フランジを相互に連結させた状態を模式的に示す要部断面図である。
【００１５】
図において、連結具１０は、円筒形状の連結部１１と、該連結部１１と反対側の面において連結具１０を互いに密着させるフランジ部１６とを具備している。
【００１６】
連結部１１は、外筒１１ａおよび内筒１１ｂによって二重の筒体構造に形成されており、内筒１１ｂの内部が送水路１２を形成している。外筒１１ａには、内筒１１ｂに設けたネジ穴1１ｄのそれぞれと対応する位置に、雄ネジ１３を螺着させるためのネジ穴（またはネジ溝）1１ｃが形成されており、外筒１１ａと内筒１１ｂ間の隙間１４にコーキング剤１５ａを備え、ついで、送水用ホース１の先端部を嵌め込んで、ネジ締結（またはボルト締結）により貫通固定させる。したがって、外筒１１ａと送水用ホース１の先端部の間、および、内筒１１ｂと送水用ホース１の先端部の間にはいずれも、コーキング剤１５ａより形成されたコーキング層１５が介されているため、水漏れが完全に防止できるのである。
【００１７】
フランジ部１６には連結穴17が形成されており、前記フランジ部１１を互いに密着させた状態で二個の連結具１０をボルト締結（またはネジ締結）させるようになっている。
【００１８】
実施例１の連結具１０によると、外筒１１ａと内筒１１ｂ間の隙間１４に送水用ホース１の先端部を挿嵌させてネジ締結（またはボルト締結）により貫通固定されているため、送水時に送水用ホース１が抜け落ちたり位置ズレすることがなく、また、送水用ホース１に送水による水圧がかかりホース１が外方に膨出するために、外筒１１ａの内面に送水用ホース１の外面を密着させることができるので、連結部１１から送水時に水漏れすることもないのである。
【００１９】
図４は、実施例２の連結具２０の主要部を示す要部分解斜視図であり、図５は同連結具２０を使用して硬質送水用パイプ１を連結させた状態を模式的に示す斜視図である。
【００２０】
図において、実施例２の連結具２０は、硬質送水用パイプ２を連結するためのものでもあり、実施例１の連結具１０と、実質同一に構成されている。
【００２１】
すなわち、実施例１の連結具１０および実施例２の連結具２０によると、従来のように、部分胴巻き部材または部分押さえ部材による締め付け効果の期待できない硬質送水用パイプ２であっても、送水時に、硬質の送水用パイプ２が抜け落ちたり、水漏れすることもない。
【００２２】
図６は、実施例３の連結具３０の要部分斜視図であり、図７は同連結具３０をポンプ３２の吐出口３３に連結させた状態を模式的に示す斜視図である。
【００２３】
図において、連結具３０は、蛇腹形状のパイプ部材３１の両側に上記連結具１０をそれぞれ装着したものであり、例えば円錐形状に形成され吐出口にフランジを備えたポンプ３２の当該吐出口３３に連結されると、優れた実効性を奏するものである。
【００２４】
例えば円錐形ポンプ３２の吐出口３３に、上述した従来の連結具を使用して柔らかい送水用ホースを連結する際の不具合すなわち、送水用ホースが柔らかいために途中で折れ曲がり易いという不具合（図８参照）を解消できる（ホースが途中で折れ曲がり難い）。また、例えば円錐形ポンプ３２の吐出口３３に、上述した従来の連結具を使用して硬い送水用パイプを連結する際の不具合すなわち、送水用ホースが硬くいためにポンプ３２が転倒し易いという不具合（図９参照）が解消できる（ポンプが転倒し難い）。
【００２５】
つぎに、図１０は、実施例４の連結具４０の要部を模式的に示す断面図であり、図１１は同連結具４０に送水用パイプ１を連結した状態を模式的に示す断面図である。
【００２６】
図において、この連結具４０は、上記実施例１の連結具１０の連結部１１を構成する内筒１１ｂを有しておらず、連結部４１の内側面に、送水用ホース１の外側面を密着させるものであり、パッキン材４２を介在させ、ホースやパイプを貫通してネジ締結またはボルト締結により貫通固定するようになっている。
【００２７】
連結具４０によると、連結部４１の中に送水用ホース１の先端部を挿嵌させ、ボルト４３が締結されるため、送水時に送水用ホース１が抜け落ちることがなく、送水用ホース１に水圧がかかって外方向に膨出して連結部４１の内面に送水用ホース１の外面が密着するので送水時に水漏れすることがなく、また、ホースの内断面積が損なわれることもないのである。
【００２８】
つぎに、図１２は、実施例５の連結具５０の主要部を示す断面図であり、図１３は同連結具５０を使用して送水用パイプ１を連結させた状態を模式的に示す要部縦断面図である。
【００２９】
この連結具５０は、上記実施例１の連結具１０の連結部１１を構成する外筒１１ａを実質的には部分胴巻き部材５２にて構成した点と、連結部１１に装着した送水用ホース１の外側にパッキン材５３を介在させて、ボルト締結により貫通固定（またはネジ締結により貫通固定）する点を除き、他の構成は実施例１と実施同一である。ネジ締結（またはボルト締結）により貫通固定されているので、部分胴巻き部材を引きよせて締め付けできるようになる。
【００３０】
図１４は、実施例６の連結具６０の要部を模式的に示す分解斜視図であり、図１５は同連結具６０を使用して送水用パイプ１を連結した状態を模式的に示す斜視図である。
【００３１】
この連結具６０は、上記実施例５の連結具５０に備えた部分胴巻き部材５２を、パイプを外側から押さえ込む部分押さえ部材６１にて構成し、パッキン材６３を介在させてボルト締結（またはネジ締結）により貫通固定する点を除き、他の構成は上記実施例５の連結具５０の構成と実質同一である。
【００３２】
上記連結具５０、６０によると、送水用ホース１の先端部がボルト締結ネジ（またネジ締結）により貫通固定されているため、送水時に送水用ホース１が抜け落ちることがない。
【図面の簡単な説明】
【００３３】
【図１】図１は実施例１の連結具の主要部を概略的に示す要部分解斜視図である。
【図２】図２は同連結具に柔軟な送水用パイプを連結させつつある状態を模式的に示す要部分解斜視図である。
【図３】図３は同連結具に柔軟な送水用パイプを連結させた状態を模式的に示す要部断面図である。
【図４】図４は実施例２の連結具の主要部を示す要部分解斜視図である。
【図５】図５は同連結具を使用して硬質送水用パイプを連結させた状態を模式的に示す斜視図である。
【図６】図６は実施例３の連結具の要部分斜視図である。
【図７】図７は同連結具をポンプの吐出口に連結させた状態を模式的に示す斜視図である。
【図８】図８は円錐形ポンプの吐出口に、従来の連結具を使用して柔らかい送水用ホースを連結する際の不具合を模式的に示す模式図である。
【図９】図９は円錐形ポンプの吐出口に、従来の連結具を使用して硬い送水用ホースを連結する際の不具合を模式的に示す模式図である。
【図１０】図１０は実施例４の連結具の要部を模式的に示す断面図である。
【図１１】図１１は同連結具に送水用パイプを連結した状態を模式的に示す断面図である。
【図１２】図１２は実施例５の連結具５０の主要部を示す断面図である。
【図１３】図１３は同連結具を使用して送水用パイプ１を連結させた状態を模式的に示す要部縦断面図である。
【図１４】図１４は実施例６の連結具の要部を模式的に示す分解斜視図である。
【図１５】図１５は同連結具を使用して送水用パイプを連結した状態を模式的に示す斜視図である。
【符号の説明】
【００３４】
１  …  柔軟な送水用ホース
２  …  硬い送水用ホース
１０  …  連結具
１１  …  連結部
１１ａ…  外筒
１１ｂ…  内筒
１１ｃ…  穴
１１ｄ…  ネジ溝（または穴）
１２  …  送水路
１３  …  雄ネジ
１４  …  隙間
１５  …  コーキング層
１５ａ…  コーキング剤
１６  …  フランジ部
１７  …  連結穴
２０  …  連結具
３０  …  連結具
３１  …  蛇腹形状のパイプ部材
３２  …  円錐形ポンプ
３３  …  吐出口
４０  …  連結具
４１  …  連結部
４２  …  パッキン材
４３  …  ボルト
５０  …  連結具
５２  …  部分胴巻き部材
５３  …  パッキン材
５４  …  ボルト
６０  …  連結具
６１  …  部分押さえ部材
６３  …  パッキン材
Ｘ  …  水溜（川、池、沼などを含む）
【図１】
2005273853.tif 000003
【図２】
2005273853.tif 000004
【図３】
2005273853.tif 000005
【図４】
2005273853.tif 000006
【図５】
2005273853.tif 000007
【図６】
2005273853.tif 000008
【図７】
2005273853.tif 000009
【図８】
2005273853.tif 000010
【図９】
2005273853.tif 000011
【図１０】
2005273853.tif 000012
【図１１】
2005273853.tif 000013
【図１２】
2005273853.tif 000014
【図１３】
2005273853.tif 000015
【図１４】
2005273853.tif 000016
【図１５】
2005273853.tif 000017